(57)【特許請求の範囲】
【請求項１】
メッセージ情報を表示する機能を有する電話装置において、
メッセージ情報を受信するメッセージ情報受信手段と、表示ドットまたは表示セグメントで表示すべき情報を表現する表示手段と、前記受信したメッセージ情報が強調表示すべきメッセージ情報か否かを判定する強調表示判定手段と、前記表示ドットまたは表示セグメントの点滅またはスクロールまたは輝度を制御する表示制御手段とを有し、
前記強調表示判定手段は、前記メッセージ情報受信手段が受信したメッセージ情報に含まれる高輝度、中輝度、低輝度及び消灯の種別のいずれかの輝度制御情報及び点滅表示、上下スクロール表示及び左右スクロールの種別のいずれかの表示制御情報の有無を判定し、
前記強調表示判定手段が、前記メッセージ情報の中から強調表示を指示する予め定められた前記輝度制御情報及び前記表示制御情報を抽出した場合には、
前記表示制御手段は、当該受信したメッセージ情報の全体または前記メッセージ情報の一部または予め定められた特定の文字列を、抽出した前記輝度制御情報および前記表示制御情報を組み合わせた強調表示を行い、
前記強調表示判定手段が、前記メッセージ情報の中から強調表示を指示する予め定められた前記輝度制御情報だけを抽出した場合には、
前記表示制御手段は、当該受信したメッセージ情報の全体または前記メッセージ情報の一部または予め定められた特定の文字列を、抽出した前記輝度制御情報に基づいて強調表示を行い、
前記強調表示判定手段が、前記メッセージ情報の中から強調表示を指示する予め定められた前記輝度制御情報を抽出しない場合には、
前記表示制御手段は、前記メッセージ情報受信手段が受信したメッセージ情報のメッセージ本文の中から自電話装置内に予め登録されている所定のキーワードあるいは電話装置の所定の表示種別を検出した場合に、輝度制御のための前記キーワードあるいは電話装置の前記表示種別から構成される強調表示判定テーブルに応じた強調表示を行う
ことを特徴とする強調表示手段を有する電話装置。
【請求項２】
請求項１に記載の電話装置において、
自電話装置の周辺に人が存在するか否かを検知する人検知手段をさらに有し、
前記人検知手段が人の存在を検知していない場合に、前記表示制御手段は、当該強調表示を停止することを特徴とする強調表示手段を有する電話装置。
【発明の詳細な説明】
【技術分野】
【０００１】
本発明は、メッセージサーバ等から受信したメッセージ情報を強調表示可能な発光型表示手段を有する電話装置に関する。
【背景技術】
【０００２】
ホテル等に設置される電話通信システムにおいて、ホテル等に配置されたメッセージサーバからの各種サービス情報やメッセージ情報を受信して電話装置の表示器にメッセージ情報を表示する技術がある（例えば特許文献１参照）。
【先行技術文献】
【特許文献】
【０００３】
【特許文献１】特開平６−１３３０４２号公報
【発明の概要】
【発明が解決しようとする課題】
【０００４】
しかしながら、従来のメッセージ情報を表示する電話装置の表示器は低コントラストの液晶表示器を採用することが一般的であり、ホテルからの重要なメッセージ等を強調表示する場合に、液晶表示により強調部分の文字の色や線の太さや点滅等で変化させる程度であり、強調表示能力が弱く、重要なメッセージ情報が確実に伝達されるとは限らなかった。
【０００５】
本発明は上記事情に鑑みてなされたものであり、本発明の目的は、ＬＥＤ（発光ダイオード）、有機ＥＬ（エレクトロルミネッセンス）、蛍光表示管、バックライト付透過型液晶表示器などの表示器を搭載した電話装置において、各種メッセージ情報の内、特定のメッセージ情報を強調表示し、その情報を見た者が所定の操作をした場合に、所定の通知先へ予め定められた信号を通知することにより、重要なメッセージ情報を確実に伝達することができる優れたメッセージ情報表示機能を有する電話装置を提供することにある。
【課題を解決するための手段】
【０００６】
上記課題を解決するために、本発明の強調表示手段を有する電話装置では、メッセージ情報を表示する機能を有する電話装置において、メッセージ情報を受信するメッセージ情報受信手段と、表示ドットまたは表示セグメントで表示すべき情報を表現する表示手段と、前記受信したメッセージ情報が強調表示すべきメッセージ情報か否かを判定する強調表示判定手段と、前記表示ドットまたは表示セグメントの点滅またはスクロールまたは輝度を制御する表示制御手段とを有し、前記強調表示判定手段は、前記メッセージ情報受信手段が受信したメッセージ情報に含まれる高輝度、中輝度、低輝度及び消灯の種別のいずれかの輝度制御情報及び点滅表示、上下スクロール表示及び左右スクロールの種別のいずれかの表示制御情報の有無を判定し、前記強調表示判定手段が、前記メッセージ情報の中から強調表示を指示する予め定められた前記輝度制御情報及び前記表示制御情報を抽出した場合には、前記表示制御手段は、当該受信したメッセージ情報の全体または前記メッセージ情報の一部または予め定められた特定の文字列を、抽出した前記輝度制御情報および前記表示制御情報を組み合わせた強調表示を行い、前記強調表示判定手段が、前記メッセージ情報の中から強調表示を指示する予め定められた前記輝度制御情報だけを抽出した場合には、前記表示制御手段は、当該受信したメッセージ情報の全体または前記メッセージ情報の一部または予め定められた特定の文字列を、抽出した前記輝度制御情報に基づいて強調表示を行い、前記強調表示判定手段が、前記メッセージ情報の中から強調表示を指示する予め定められた前記輝度制御情報を抽出しない場合には、前記表示制御手段は、前記メッセージ情報受信手段が受信したメッセージ情報のメッセージ本文の中から自電話装置内に予め登録されている所定のキーワードあるいは電話装置の所定の表示種別を検出した場合に、輝度制御のための前記キーワードあるいは電話装置の前記表示種別から構成される強調表示判定テーブルに応じた強調表示を行うことを特徴とする。
【発明の効果】
【０００７】
本発明によれば、重要なメッセージ情報を確実に伝達することができる優れたメッセージ情報表示機能を有する電話装置を提供できる。
【図面の簡単な説明】
【０００８】
【図１】図１は、本発明の実施例の発光型表示手段を有する電話装置を含むシステムの全体構成図である。
【図２】図２は、本発明の実施例の発光型表示手段を有する電話装置のブロック図である。
【図３】図３は、本発明の実施例の発光型表示手段を有する電話装置のメッセージ情報強調表示のフローチャートである。
【図４】本発明の実施例の発光型表示手段を有する電話装置のメッセージ情報強調表示に関連するメッセージ表示処理Ａのフローチャートである。
【図５】本発明の実施例の発光型表示手段を有する電話装置のメッセージ情報強調表示に関連するメッセージ表示処理Ｂのフローチャートである。
【図６】本発明の実施例の発光型表示手段を有する電話装置のメッセージ情報強調表示に関連するメッセージ表示処理Ｃのフローチャートである。
【発明を実施するための形態】
【０００９】
以下、本発明の一実施の形態について説明する。
【実施例】
【００１０】
図１は本発明の発光型表示手段を有する電話装置を含むシステムの全体構成図を示す。図１において、１００は各部屋に設置してある電話装置２００−１〜３を制御する呼制御装置を示し、２００―１〜３は各部屋に設置してある電話装置を示し、３００はメッセージ情報を各電話装置に配信するメッセージサーバを示し、４００はこれらの装置を接続するＬＡＮ配線を示している。
【００１１】
各電話装置２００−１〜３に送信され、各電話装置２００−１〜３の表示装置に表示されるメッセージ情報としては、例えば、事務所等における侵入者警告等の防犯メッセージ、事務所等における業務連絡メッセージ、事務所等における業務関連情報（株価、鉄道・高速道路の交通情報、天気予報、経済ニュース）、宿泊施設におけるモーニングコール設定時間、宿泊施設における伝言メッセージ、宿泊施設における館内施設や施設周辺観光等の案内メッセージ、宿泊施設における地震・火災等の防災メッセージ、夜間・休日や無人時の警戒モード設定、モーニングコール設定、輝度低下または消灯設定など各種設定状態表示などがある。
【００１２】
図２は本発明の実施例の発光型表示手段を有する電話装置のブロック図を示す。ＬＡＮ通信部２０１は、ＬＡＮ４００を介して、電話装置の呼制御を行う呼制御装置１００及びメッセージ情報を配信するメッセージサーバ３００との通信を行い、電話機能部２０２、制御部２０３へ情報を通知する。
【００１３】
例えば、呼制御装置１００からのメッセージ情報は電話機能部２０２へ通知され、制御部２０３及びメッセージ情報受信部２０５を介して強調表示判定部２０４へ通知される。
制御部２０３は、すべての表示機能に関連する処理を制御し、電話機能部２０２は電話装置に関わる基本的な機能を処理する。
【００１４】
入力部２０８は、ユーザが操作したテンキー等の内容を入力する。例えば、夜間における警戒モードの設定、宿泊施設におけるモーニングコールの時間設定、宿泊施設における伝言メッセージを読んだ後のメッセージ消去設定、強調表示されたメッセージの輝度低下設定、表示画面全体の消灯設定及び決められたメッセージだけを高輝度に表示する輝度設定などの入力を行う。
【００１５】
強調表示判定部２０４は、メッセージ情報受信部２０５より通知された内容から強調表示すべきメッセージ情報を判断し、当該メッセージ情報を表示制御部２０６へ通知する。
【００１６】
表示制御部２０６は、強調表示判定部２０４より通知された表示の点滅や発光輝度を制御する（例えば、受信した情報に応じて、発光型表示部２０７の発光型ドット表示やセグメント表示、強調表示、スクロール表示などを行う）。
【００１７】
メッセージ情報受信部２０５は、制御部２０３より通知されたメッセージ情報を受信し、発光型表示部２０７は、表示制御部２０６より通知されたメッセージ情報の発光表示を行う。
センサ部２０９は、自電話装置周辺に人が存在するか否かを検知し、制御部２０３に通知する。
【００１８】
図３は、本発明の実施例の発光型表示手段を有する電話装置２００のメッセージ情報強調表示のフローチャートを示す。また、本フローは、電話装置２００の電源が投入され、図２の各ブロックの初期設定が為され、呼制御装置１００及びメッセージサーバ３００との通信が可能となった状態から開始される。
【００１９】
メッセージ情報強調表示の手順を開始する（Ｓ３０１）と、まず、電話装置２００はメッセージ情報を受信したか否かの確認を行う（Ｓ３０２）。
メッセージ情報を受信した場合（Ｓ３０２，Ｙｅｓ）、メッセージサーバ３００から受信したメッセージ情報に含まれている制御情報の判定を行う（Ｓ３０３）。
【００２０】
ここで、本実施例では、受信するメッセージ情報に含まれる制御情報について、３つの場合を想定している。表１を参照して受信するメッセージ情報の構成について説明する。
【表１】
0005477489.tif 000002
一つ目は、制御情報としてメッセージ本文のみが送られてきた場合である。メッセージ本文とは、表示制御部２０６が発光型表示部２０７に表示するメッセージを意味する。
二つ目は、制御情報としてメッセージ本文と輝度制御情報が送られてきた場合である。輝度制御情報とは、表示制御部２０６が発光型表示部２０７を表示する際の、輝度の制御情報を意味する。
三つ目は、制御情報としてメッセージ本文と輝度制御情報と表示制御情報が送られてきた場合である。
【００２１】
ここで、表示制御情報とは、表示制御部２０６が発光型表示部２０７に点滅・スクロール制御する際の、表示する文字の点灯・消灯の時間間隔やスクロール方向、表示時間と移動時間の間隔の情報を意味する。
【００２２】
図３の説明に戻る。
Ｓ３０３の判定結果がメッセージ本文のみであった場合（Ｓ３０３：メッセージ本文のみ）、メッセージ表示処理Ａを行う（Ｓ３０４）。
Ｓ３０３の判定結果がメッセージ本文と輝度制御情報であった場合（Ｓ３０３：メッセージ＋輝度制御情報）、メッセージ表示処理Ｂを行う（Ｓ３０５）。
メッセージ情報の判定結果がメッセージ本文と輝度制御情報と表示制御情報であった場合（Ｓ３０３：メッセージ本文＋輝度制御情報＋表示制御情報）、メッセージ表示処理Ｃを行う（Ｓ３０６）。
そしてメッセージ表示処理が完了するとＳ３０２に戻る。
【００２３】
図４は、図３のＳ３０４のメッセージ表示処理Ａのフローチャートを示す。
まず、所定のキーワードを検出したかの判断（Ｓ３０４０１）または、所定の表示種別を検出したかの判断（Ｓ３０４０２）を行う。
所定のキーワードを検出した場合（Ｓ３０４０１，Ｙｅｓ）、または、所定の表示種別を検出した場合（Ｓ３０４０２，Ｙｅｓ）、強調表示判定テーブルに応じた輝度表示を行う（Ｓ３０４０３）。
ここで表２、表３、表４を参照して用いて所定のキーワードの検出、所定の表示種別の検出方法について説明する。
【表２】
0005477489.tif 000003
【表３】
0005477489.tif 000004
【００２４】
表２は、メッセージ本文の例を示し、表３は、図示しないが強調表示判定部２０４に記憶される強調表示判定テーブルである。強調表示判定テーブルは、輝度と輝度制御のためのキーワードおよび電話装置の表示種別から構成される。
ここで電話装置の表示種別とは、例えば電話装置が着信を受けた場合や、電話装置のユーザが不在時の待機画面など、電話装置の状態に応じて切り替わる画面の種別を意味する。
【００２５】
表３の強調表示判定テーブルのキーワードを検出すると、検出したキーワードに応じて、また表３の強調表示判定テーブルの表示種別を検出すると、検出した表示制御を行う。
例えば、表２のメッセージ本文が「伝言メッセージが届いております。」であった場合、強調表示判定テーブルのキーワード「伝言」が検出され、「伝言」のキーワードが登録されている輝度制御情報の「高輝度」を実行する。
【００２６】
表４には、表１のメッセージ情報における輝度制御情報の種類を示す。
【表４】
0005477489.tif 000005
輝度制御情報としては、高輝度、中輝度、低輝度、消灯がある。
また、表２のメッセージ本文が「４月６日（土）  ＡＭ０１：１０」で表示種別が「無人時のカレンダ表示」であった場合、強調表示判定テーブルの表示種別「無人時のカレンダ表示」が検出され、「無人時のカレンダ表示」の表示種別が登録されている輝度制御情報の「消灯」を実行する。
キーワード、または、表示種別を検出しなかった場合は（Ｓ３０４０１，Ｎｏ）（Ｓ３０４０２，Ｎｏ）、通常表示を行う（Ｓ３０４０４）。
【００２７】
次に表示文字数以上かどうかの判断を行い（Ｓ３０４０５）、表示文字数以上だった場合は（Ｓ３０４０５，Ｙｅｓ）例えば右から左へのスクロール表示を行う（Ｓ３０４０６）。
次に営業日または営業時間でなかった場合（Ｓ３０４０７，Ｎｏ）、または人検知されなかった場合（Ｓ３０４０８，Ｎｏ）、または所定操作を行った場合（Ｓ３０４０９，Ｙｅｓ）、または発着信通話状態でなかった場合（Ｓ３０４１０，Ｎｏ）、低輝度表示または消灯、点滅・スクロール停止を行い（Ｓ３０４１１）、サーバ通知（Ｓ３０４１２）し、本フローを終了する。
【００２８】
図５は、図３のＳ３０５のメッセージ表示処理Ｂのフローチャートを示す。メッセージ表示処理Ｂは、メッセージサーバ３００からのメッセージがメッセージ本文＋輝度制御情報であった場合の電話装置２００の処理フローチャートである。
まず、メッセージ情報より輝度制御情報を抽出し、輝度制御情報に応じた輝度表示を行う。次のＳ３０５０２からＳ３０５０９の処理は図４のＳ３０４０５〜Ｓ３０４１２の処理と同一なので説明を省略する。
【００２９】
図６は、図３のＳ３０６のメッセージ表示処理Ｃのフローチャートを示す。メッセージ表示処理Ｃは、メッセージサーバ３００からのメッセージがメッセージ本文＋輝度制御情報＋表示制御情報であった場合の電話装置２００の処理フローチャートである。
まず、メッセージ情報より輝度制御情報と表示制御情報を抽出し、輝度制御情報、表示制御情報に応じた輝度の設定を行う（Ｓ３０６０１），（Ｓ３０６０２）。
【００３０】
つぎに表５を参照して表示制御情報について説明する。
表５は、表示制御情報の一例を示している。
【表５】
0005477489.tif 000006
【００３１】
表示制御情報としては、点滅表示、上下スクロール表示、左右スクロール表示などがある。
表示制御情報「００  ００  ００  ０１」は点滅表示であり、更に点灯時間１バイト＋消灯時間１バイトを含み、表示制御情報「００００  ００  １０」は上から下へのスクロール表示、「００  ００  ０１  ００」は下から上へのスクロール表示、「００  ００  １０  ００」は左から右へのスクロール表示、「０００１  ００  ００」は右から左へのスクロール表示であり、更に固定表示時間１バイト＋移動時間１バイトをそれぞれ含む。
次のＳ３０６０３〜Ｓ３０６０８の処理は、図４のＳ３０４０７〜Ｓ３０４１２の処理と同一なので説明を省略する。
【産業上の利用可能性】
【００３２】
本発明の発光型表示手段を有する電話装置は、ホテルからの重要なメッセージ等の伝言の場合だけでなく、文字表示器を搭載することで、以下のような用途にも使用できる。
【００３３】
例えば、モーニングコールの設定後、暫く経過すると何時に設定したか記憶が曖昧になった場合、設定時間の確認が面倒であったが、常時設定時間を表示することも出来る。また、ホテル館内の通常案内だけでなく緊急時には避難経路などの案内も表示できるし、ホテル周辺の観光ガイド情報も表示できる。
【００３４】
ホテルでは就寝時に所定の操作を行うと、モーニングコールで設定した起床時間までは自発光表示器の輝度を所定レベル以下に低下または消灯させることで、少しでも光があると眠れない人にも配慮することもできる。
【００３５】
また、ボタン電話等では、カレンダ機能と連動し、夜間・休日には自発光表示器の輝度を所定レベル以下に低下または消灯させることで低消費電力化を図ることができる。ボタン電話の事務机の上に置かれ、目と鼻の先にあるので、全てのメッセージを強調表示すると、目障りで仕事の邪魔にも成りかねないので、緊急性の低いメッセージは待機中に強調表示を行わないように設定することもできる。
【符号の説明】
【００３６】
１００  呼制御装置
２００  電話装置
２０１  ＬＡＮ通信部
２０２  電話機能部
２０３  制御部
２０４  強調表示判定部
２０５  メッセージ情報受信部
２０６  表示制御部
２０７  発光型表示部
２０８  入力部
２０９  センサ部（人検知部）
３００  メッセージサーバ
４００  ＬＡＮ配線
【図１】
0005477489.tif 000007
【図２】
0005477489.tif 000008
【図３】
0005477489.tif 000009
【図４】
0005477489.tif 000010
【図５】
0005477489.tif 000011
【図６】
0005477489.tif 000012